(57)【要約】 【課題】  外部から入力したクロック信号に同期して動作する画像出力部の動作状態が、正常であるか否かを効率よく検出することができる画像表示装置および信号処理装置を提供する。【解決手段】  画像表示装置２０が起動されると、表示制御部２８は画像出力部２４のチェック用レジスタであるデータレジスタ４５のレジスタ値を読み出し、読み出したデータが正常であるか否かを判定する。読み出したレジスタ値が正常であれば、画像出力部２４への制御指令を出力して、読み出したデータを含む画像表示条件を設定し、表示制御部２８の判定動作を終了する。レジスタ値が正常でないと判断した場合には、レジスタ値が正常ではなかった回数ｎが、表示制御部２８に記憶させた予め定める値に達した否かを判定し、予め定める値であれば、画像出力部２４にリセット信号を出力してリセットさせる。【選択図】      図２
2009288731.tif 000002
【特許請求の範囲】
【請求項１】
画像信号を、クロック信号とともに出力する画像信号源と、
前記画像信号源から入力した画像信号を、前記クロック信号に同期させて表示制御信号とともに出力する画像出力部と、
前記表示制御信号に応答して、画像出力部からの画像信号を画像として表示する画像表示部と、
前記画像信号源から入力した画像信号を、画像表示部によって表示される表示画像の遷移に従って表示させるとともに、前記画像出力部の動作状態を前記画像出力部に記憶される情報から判定し、画像出力部が動作していないと判断したとき、画像出力部の動作を停止させる表示制御部とを含むことを特徴とする画像表示装置。
【請求項２】
前記表示制御部は、前記画像出力部に備えられるレジスタに記憶される情報を読み出し、この読み出した情報に基づいて、前記画像出力部が正常であるか否かを判断することを特徴とする請求項１に記載の画像表示装置。
【請求項３】
前記表示制御部は、前記画像出力部のレジスタへの読み出しを、予め定める時間間隔で複数回、実行することを特徴とする請求項２に記載の画像表示装置。
【請求項４】
外部から入力したクロック信号に同期して動作する第１処理部と、
第１処理部の動作を制御し、第１処理部に入力されるクロック信号の有無を検出する第２処理部とを含むことを特徴とする信号処理装置。
【発明の詳細な説明】
【技術分野】
【０００１】
本発明は、外部から入力したクロック信号に同期して、液晶表示パネルなどの出力部に情報を出力させる駆動部の動作状態が正常か否かを検出することができる画像表示装置および信号処理装置に関する。
【背景技術】
【０００２】
図１は、従来技術の画像表示装置１の概略的構成を示すブロック図である。たとえば、車両に搭載されるマルチビュー表示装置とも呼ばれる画像表示装置１は、道路情報およびＧＰＳ受信情報を、地図情報およびルート案内画像とともに出力するナビゲーション部２と、車両の前後を撮像するカメラからの画像信号、ラジオ放送波を受信するラジオ受信部、テレビ放送波を受信するＴＶ受信部、ＣＤまたはＤＶＤに記録された音楽および画像を再生するＣＤ／ＤＶＤ再生部などを統括的に制御する主制御部３と、主制御部３からの画像信号を表示する表示部４とを備える。
【０００３】
ナビゲーション部２は、水晶発振子からのクロック信号に同期して動作し、同期信号、画像信号および画像ミュート信号Ｖ−ＭＵＴＥを出力するナビゲーション制御部１０と、ナビゲーション制御部１０から前記同期信号および画像信号を入力して前記主制御部３を介して表示部４に伝送する低電圧差動伝送(Low Voltage Differential Signaling；略称ＬＶＤＳ)トランシーバ１１とが設けられる。ＬＶＤＳトランシーバ１１は、差動同期信号と、同期信号および画像信号を複合した差動画像信号とを出力する。
【０００４】
表示部４は、画像出力部７と、液晶表示パネル８と、前記ＬＶＤＳトランシーバ１１からの差動同期信号と差動画像信号とを入力し、画像出力部７にクロック信号と画像信号とを出力するＬＶＤＳレシーバ１２と、画像出力部７に制御タイミング信号を出力し、画像出力部７にシリアル通信によって黒画像信号を出力させる表示制御部１３とを有する。前記表示制御部１３は、マイクロコンピュータによって実現される。
【０００５】
前記表示部４は、前記ナビゲーション部２から入力した画像信号を、表示部４の外部に設けられた水晶発振子からのクロック信号ＣＬＫに同期して動作する画像出力部７によって、彩度補正、色相補正、コントラスト補正およびガンマ補正などを行った後、液晶表示パネル８の駆動信号および画像信号を生成し、前記液晶表示パネル８に画像を表示するように構成される。
【０００６】
主制御部３には、オーディオ用マイクロコンピュータ１５が設けられ、ナビゲーション制御部２から出力されるＴＡＢ通信信号に応答して、オーディオ用マイクロコンピュータ１５が表示制御部１３に画像拡大率などの各種の設定値および動作モードなどを設定するように構成される。
【０００７】
前記画像出力部７は、ＡＳＩＣ（Application Specific Integration Circuit）によって実現される。また、前記液晶表示パネル８は、液晶表示素子と、液晶表示素子に背後から光を照射するバックライトとを有する。前記バックライトは、表示制御部１３がナビゲーション部２から画像ミュート信号Ｖ−ＭＵＴＥを入力したとき、バックライト制御部１６に輝度を低下させるためのバックライト制御信号を出力し、バックライトの輝度を低下させて黒表示させる。
【０００８】
前記画像出力部７は、表示部４の外部に設けられた水晶発振子からクロック信号を入力して動作する。この場合、画像出力部７は、電源が投入されると、正常動作を行い、クロック信号ＣＬＫによって生成した水平同期信号ＨＳＹおよび垂直同期信号ＶＳＹをナビゲーション部２へ送信することによって、液晶表示素子にマトリクス状に設けられるスイッチング素子のオン・オフ動作と画像の表示動作とのタイミングを調整している。
【０００９】
この従来技術では、画像出力部７はナビゲーション部２から主制御部３を介して入力したクロック信号に同期して動作するのでクロック信号が停止すると、画像出力部７が動作しないため、画像信号を出力させることはできない。このようなクロック信号の停止は、ローディング画面からオープニング画面への移行時にナビゲーション制御部１０が必ずリセットするため、そのリセット期間はクロック信号の供給が停止してしまうことに起因している。
【００１０】
このような動作状態を監視する他の従来技術として、たとえば特許文献１には、複写機およびファクシミリなどの画像形成装置において、ＣＣＤイメージセンサからの出力をビデオ信号に変換するアナログプロセッサと、ＣＣＤイメージセンサを駆動するＣＣＤドライバとを有するＣＣＤアナログプロセッサが画像出力部として設けられている。このＣＣＤアナログプロセッサには、パルス検出部がパルス発生部から出力されるリーダ同期信号などのクロック信号をモニタするために、クロック信号の状態が所定時間内に正常に復帰しない場合に、操作パネルにエラー表示し、画像形成プロセスを停止させるように構成されている。
【００１１】
【特許文献１】特開２００１−７７９５５号公報
【発明の開示】
【発明が解決しようとする課題】
【００１２】
前述の特許文献１の従来技術では、画像出力部とそれを制御する表示制御部との間の通信中にクロック信号が停止しても、画像出力部から取り込んだクロック信号によって動作しているため、画像出力部の動作状態が正常か否かを判定することが困難であるという問題がある。
【００１３】
本発明の目的は、外部から入力したクロック信号に同期して動作する画像出力部の動作状態が正常であるか否かを効率よく検出することができる画像表示装置および信号処理装置を提供することである。
【課題を解決するための手段】
【００１４】
本発明（１）は、画像信号を、クロック信号とともに出力する画像信号源と、
前記画像信号源から入力した画像信号を、前記クロック信号に同期させて表示制御信号とともに出力する画像出力部と、
前記表示制御信号に応答して、画像出力部からの画像信号を画像として表示する画像表示部と、
前記画像信号源から入力した画像信号を、画像表示部によって表示される表示画像の遷移に従って表示させるとともに、前記画像出力部の動作状態を前記画像出力部に記憶される情報から判定し、画像出力部が動作していないと判断したとき、画像出力部の動作を停止させる表示制御部とを含むことを特徴とする画像表示装置である。
【００１５】
また本発明（４）は、外部から入力したクロック信号に同期して動作する第１処理部と、
第１処理部の動作を制御し、第１処理部に入力されるクロック信号の有無を検出する第２処理部とを含むことを特徴とする信号処理装置である。
【発明の効果】
【００１６】
本発明（１）によれば、画像信号源から入力した画像信号を、画像表示部によって表示される表示画像の遷移に従って表示させる表示制御部によって、画像出力部の動作状態を、その画像出力部に記憶される情報に基づいて判定するので、画像出力部および表示制御部間の通信中にクロック信号が停止しても、クロック信号の停止を確実に検出して、画像出力部が正常に動作しているか否かを判定することができる。また、表示制御部は、画像出力部が動作していないと判断したとき、画像出力部の動作を停止させるので、クロックの停止によって画像出力部の設定値が異常のままで表示制御が継続されてしまうという誤動作が防がれ、これによって異常画像が表示されてしまうことを防止することができる。
【００１７】
また、表示制御部が画像出力部を直接監視しているので、画像出力部の動作状態を監視するための回路を別途に設ける必要がなく、前記監視のための回路を設ける場合に比べて基板の実装面積を小さくし、製造コストの削減して、簡単な構成によって画像出力部の監視機能を実現することができる。
【００１８】
また本発明（４）によれば、第２処理部は第１処理部に入力されるクロック信号の有無を検出することによって、第１処理部にクロック信号が停止した後、再び入力されて第１処理部が動作しても、その動作状態が正常か否かを容易に判別することができる。
【発明を実施するための最良の形態】
【００１９】
図２は、本発明の実施の一形態の画像表示装置２０の概略的構成を示すブロック図である。本実施の形態の画像表示装置２０は、たとえば車両に搭載されるマルチビュー表示装置とも呼ばれる信号処理装置であって、道路情報およびＧＰＳ受信情報を、地図情報およびルート案内画像とともに出力する画像信号源としてのナビゲーション部２１と、車両の前後を撮像するカメラからの画像信号、ラジオ放送波を受信するラジオ受信部、テレビ放送波を受信するＴＶ受信部、ＣＤまたはＤＶＤに記録された音楽および画像を再生するＣＤ／ＤＶＤ再生部などを統括的に制御する主制御部２２と、主制御部２２からの画像信号を表示する表示部２３とを含む。
【００２０】
ナビゲーション部２１は、表示部２３に画像信号をクロック信号ＣＬＫに同期して前記クロック信号ＣＬＫとともに出力し、画像を黒画像に変更するための画像ミュート信号Ｖ−ＭＵＴＥを出力し、さらにＴＡＢ通信信号をオーディオ用マイクロコンピュータ３５に出力する。ナビゲーション部２１からＴＡＢ通信信号を入力したオーディオ用マイクロコンピュータ３５は、表示制御部２８にＴＡＢ通信信号を出力する。
【００２１】
表示部２３は、ナビゲーション部２１から入力した画像信号を、前記クロック信号ＣＬＫに同期させて表示制御信号とともに出力する画像出力部２４と、画像出力部２４からの画像信号および表示制御信号に応答して駆動される液晶表示素子２５と、液晶表示素子２５に背後から光を照射するバックライト２６と、バックライト２６の輝度を制御するバックライト制御部２７と、ナビゲーション部２１から画像ミュート信号Ｖ−ＭＵＴＥを入力したとき、バックライト制御部２７に輝度を低下させるためのバックライト制御信号を出力する表示制御部２８とを含む。
【００２２】
前記ナビゲーション部２１は、外部の水晶発振子からのクロック信号ＣＬＫに同期して動作し、同期信号、画像信号および画像ミュート信号Ｖ−ＭＵＴＥを出力するナビゲーション制御部３０と、ナビゲーション制御部３０から同期信号および画像信号を入力して前記主制御部２２を介して表示出力部２４に伝送する低電圧差動伝送(Low Voltage Differential signaling；略称ＬＶＤＳ)トランシーバ３１とを有する。画像出力部２４は、画像出力部２４の外部、すなわち表示部２３の外部からクロック信号ＣＬＫが入力されている。
【００２３】
前記ＬＶＤＳトランシーバ３１は、差動同期信号と、同期信号および画像信号を複合した差動画像信号とを出力する。このようなナビゲーション部２１は、ＶＩＣＳ情報受信部が受信した道路情報およびＧＰＳ情報受信部が受信した地理情報に基づいて地図およびルート案内情報を出力するように構成される。
【００２４】
主制御部２２には、オーディオ用マイクロコンピュータ３５が設けられ、ナビゲーション制御部３０から出力されるＴＡＢ通信信号に応答して、表示制御部２８に画像拡大率などの各種の設定値および動作モードなどを設定させるように構成される。オーディオ用マイクロコンピュータ３５は、使用者のボタン操作信号、例えばＤＴＶ（Digital Television）に切り換える信号を表示制御部２８に送信するとともに、画質に関する設定時に初期設定の命令信号を送信する。そのとき、ナビゲーション制御部３０は、ＨＤＤ（Hard Disk Drive）からの地図データを読み込んだ後にリセットがかかり、ナビゲーション制御部３０からのクロック信号が停止する場合がある。
【００２５】
前記液晶表示素子２５とバックライト２６とは、液晶表示パネル３３を構成する。表示部２３は、外部からの入力したクロック信号に同期して動作する第１処理部としての画像出力部２４と、液晶表示パネル３３と、ＬＶＤＳトランシーバ３１からの差動同期信号と差動画像信号とを入力し、画像出力部２４にクロック信号ＣＬＫと画像信号とを出力するＬＶＤＳレシーバ３４と、画像出力部２４に制御タイミング信号を出力し、画像出力部２４にシリアル通信によって黒画像信号を出力させる前記表示制御部２８とを有する。この表示制御部２８は、前記第１処理部の動作を制御し、第１処理部に入力されるクロック信号を検出する第２処理部を構成する。
【００２６】
前記表示制御部２８は、前記画像信号源であるナビゲーション部２１から入力した画像信号を、液晶表示パネル３３によって表示される表示画像の遷移に従って表示させるとともに、前記画像出力部２４の動作状態を判定し、画像出力部２４が動作していないと判断したとき、画像出力部２４をリセットさせるリセット信号を出力する。このような表示制御部２８の機能は、コンピュータによって実行可能なプログラムによって実現される。また表示制御部２８は、前記プログラムがたとえばＲＯＭ（Read Only Memory）などによって実現される記憶領域に記憶されるハードウェア資源としてのマイクロコンピュータによって実現される。
【００２７】
前記ナビゲーション部２１は、車両の前方および後方などの車両周辺を撮像するカメラ、アンテナによってテレビ放送波を受信するテレビ受信装置、ＣＤおよびＤＶＤに記憶される音楽情報および画像を再生するＣＤ／ＤＶＤ再生装置、およびハードディスクに記録された画像および音楽情報を再生するハードディスク再生装置などを含んで構成されてもよい。
【００２８】
液晶表示素子２５は、バックライト２６側から順に、偏光板、スイッチング素子であるＴＦＴ（Thin Film Transistor）がマトリクス状に形成される個別電極側ガラス基板、液晶層、ＲＧＢの３原色の画素をもつカラーフィルタ基板、視差バリア層、共通電極側ガラス板、偏光板等が積層された構成であってもよい。このような液晶表示素子は、例えば、水平方向に８００画素、垂直方向に４８０画素が配列された表示画面を構成する。
【００２９】
画像出力部２４は、一例として述べると、複数のアナログ／デジタル変換器、輝度・色分離回路、ＲＧＢデコーダ、切換回路、解像度変換回路、書込み回路、読出し回路、出力タイミング制御回路、メモリＩＦ、ＶＲＡＭ、Ｃ／Ｂ調整回路、ＲＧＢ並替回路、ガンマテーブル、ガンマ補正回路、ＴＦＴタイミング制御回路などによって構成される。このような画像出力部２４は、例えば、ＡＳＩＣ（Application Specific Integrated Circuit）によって実現される。
【００３０】
図３は、画像出力部２４に備えられる演算処理部４０の基本的構成を示すブロック図である。前述の画像出力部２４には、表示制御部２８からの制御信号に応答して、液晶表示パネル３３の表示動作を制御する演算処理部４０が備えられる。この演算処理部４０は、中央演算処理装置（Central Processing Unit；略称ＣＰＵ）によって実現され、メモリに記憶されているプログラムを逐次読み出しながら演算処理を実行する。まず、フェッチと呼ばれる命令の読み込み動作が実行されると、プログラムカウンタ４１の内容がアドレスレジスタ４２に転送され、アドレス信号がアドレスバス４３に出力される。データバス４４から入力されたデータは、データレジスタ４５を介して命令レジスタ４６に送られ、命令デコーダ４７によって解析される。
【００３１】
命令の実行は、制御回路４８の指示によって行われる。解析された命令に予め割り当てられた動作手順通りに制御回路４８が各レジスタ４２，４５，４６，４７や論理演算部（略称ＡＬＵ）４９間のデータ転送、演算などが実行される。特に演算処理は、アキュムレータ５０を介して行われる。アキュムレータ５０の内容と他のレジスタ４２，４５，４６，４７の内容が論理演算部４９に入力され、その演算結果は再びアキュムレータ５０に記憶される。
【００３２】
このように構成される演算処理部４０に対して、前記表示制御部２８は画像出力部２４に対して設定のための通信を行うときだけ制御回路４８に判定用読出し信号を出力する。この読出し信号に応答して、たとえばデータレジスタ４５にアクセスし、データレジスタ４５に記憶されているデータ（以下、レジスタ値と記す場合がある。）、たとえば１６進数の「３Ａ」を読み出し、制御回路４８から表示制御部２８へ出力させる。こうして読み出したデータは、表示制御部２８において判定され、初期のデータであれば画像出力部２４は正常であると判断し、所定のデータでないか、あるいはデータが来ない場合には、異常であると判断し、画像制御部２４にリセット信号を出力してリセットさせる。
【００３３】
前記表示制御部２８による画像出力部２４への判定は、データを送受信する際の誤り検出方法の一つであるチェックサムを採用してもよい。この手法では、データレジスタ４５からのデータの送信前に、送信しようとするデータを複数のブロックに分割し、それぞれのブロック内のデータを数値とみなした合計値、すなわちチェックサムをデータと一緒に送信する。受信側である表示制御部２８では、送られてきたデータ列から同様にチェックサムを計算し、送信側から送られてきたチェックサムと一致するかどうかを検査する。両者が異なれば、画像出力部２４が異常であると判断することができる。
【００３４】
図４は、画像表示装置２０の表示部２３に設けられる表示制御部２８の動作を説明するためのフローチャートである。たとえば表示制御部２８が画像出力部２４にモード設定または初期値設定のための通信を行うと（ステップｓ０）、表示制御部２８は画像出力部２４のチェック用レジスタ、たとえば前述したデータレジスタ４５を読み出し（すなわちリード）して（ステップｓ１）、読み出したデータが正常であるか否かを判定する（ステップｓ２）。前記読み出したレジスタ値が正常である場合には、画像出力部２４への制御指令を出力して、前記読み出したデータを含む彩度補正、色相補正、コントラスト補正およびガンマ補正など画像表示条件の設定動作を開始し（ステップｓ３）、その設定動作を終了する（ステップｓ４）と、再びデータレジスタ４５のレジスタ値を読み出し（ステップｓ５）、そのレジスタ値が正常であるか否かを判定して（ステップｓ６）前記読み出したレジスタ値が正常であれば、表示制御部２８の判定動作を終了する（ステップｓ７）。
【００３５】
前記画像出力部２４への画像表示条件を設定する前にレジスタ値が正常でないと判断した場合（ステップｓ２）および設定後に正常ではないと判断した場合（ステップｓ６）には、レジスタ値が正常ではなかった回数、たとえば不一致であった回数ｎが、表示制御部２８に記憶させた予め定める値に達した否かが判定され（ステップｓ８）、予め定める値であれば、画像出力部２４にリセット信号を出力してリセットさせ、液晶表示パネル３３の表示を黒画面に切り換えて、乱れ画像の表示を回避させ(ステップｓ９)、判定動作を終了する（ステップｓ７）。また、レジスタ値が正常でなかった回数ｎが前記予め定める回数未満である場合には、予め定める時間Ｗ、判定動作を停止させた後（ステップｓ１０）、再び判定動作を開始し（ステップｓ１）、同様なルーチンをたとえば時間間隔Ｗ毎にｎ回、繰り返す。
【００３６】
なお、前記時間間隔Ｗは、たとえば２００ｍｓに選ばれ、回数ｎは３回に選ばれる。このような時間間隔Ｗは、クロック期間が停止する時間となるように設定される。
【００３７】
このように構成された画像表示装置２０によって、ナビゲーション部２１から入力した画像信号を、液晶表示パネル３３によって表示される表示画像の遷移に従って表示させる表示制御部２８によって、画像出力部２４の動作状態を、その画像出力部２４に記憶される情報に基づいて判定するので、画像出力部２４および表示制御部２８間の通信中にクロック信号が停止しても、クロック信号の停止を確実に検出して、画像出力部２４が正常に動作しているか否かを判定することができる。
【００３８】
また、表示制御部２８は、画像出力部２４が動作していないと判断したとき、画像出力部２４の動作を停止させるので、クロックの停止によって画像出力部２４の設定値が異常のままで表示制御が継続されてしまうという誤動作が防がれ、これによって異常画像が表示されてしまうことを防止することができる。
【００３９】
また、表示制御部２８が画像出力部２４を直接監視しているので、画像出力部２４の動作状態を監視するための回路を別途に設ける必要がなく、前記監視のための回路を設ける場合に比べて基板の実装面積を小さくし、製造コストの削減して、簡単な構成によって画像出力部２４の監視機能を実現することができる。
【００４０】
また、第２処理部である表示制御部２８は、第１処理部である画像出力部２４に入力されるクロック信号の有無を検出することによって、表示制御部２８にクロック信号が停止した後、再び入力されて画像出力部２４が動作しても、その動作状態が正常か否かを容易に判別することができる。
【図面の簡単な説明】
【００４１】
【図１】従来技術の画像表示装置１の概略的構成を示すブロック図である。
【図２】本発明の実施の一形態の画像表示装置２０の概略的構成を示すブロック図である。
【図３】画像出力部２４に備えられる演算処理部４０の基本的構成を示すブロック図である。
【図４】画像表示装置２０の表示部２３に設けられる表示制御部２８の動作を説明するためのフローチャートである。
【符号の説明】
【００４２】
２０  画像表示装置
２１  ナビゲーション部
２２  主制御部
２３  表示部
２４  画像出力部
２５  液晶表示素子
２６  バックライト
２７  バックライト制御部
２８  表示制御部
３０  ナビゲーション制御部
３１  ＬＶＤＳトランシーバ
【図１】
2009288731.tif 000003
【図２】
2009288731.tif 000004
【図３】
2009288731.tif 000005
【図４】
2009288731.tif 000006